(57)【要約】【課題】  例外的に、オートシャットダウンにより電源断される時刻に画像処理装置を使用するためには、オートシャットダウン指定時刻の設定を変更する、また、オートシャットダウンの設定を無効にするということをユーザが行う必要がある。【解決手段】  定常的なオートシャットダウンの設定とは別に、例外的なイベントを設定可能とすることにより、例外イベントを実行するために最も省電力なスリープ状態に移行することが可能となる。【選択図】  図５
2012187777.tif 000002
【特許請求の範囲】
【請求項１】
消費電力を抑えたスリープ状態の制御を行うスリープ制御手段と、自動で電源断するオートシャットダウン手段を備えた画像処理装置（１００）において、
オートシャットダウン時刻を設定するオートシャット時刻設定手段（３０１）と、
オートシャットダウンの実行を延長する時間を設定するオートシャットダウン延長時間設定手段（３０２）と、
前記オートシャット時刻設定手段（３０１）により設定したオートシャットダウン時刻になり、前記オートシャットダウン延長時間設定手段（３０２）により延長時間が設定されていると判断すると、ジョブ投入により自動復帰可能な最も省電力なスリープ状態に移行するジョブ復帰可能スリープ制御手段（Ｓ２０４）と、
前記ジョブ復帰可能スリープ制御手段（Ｓ２０４）によりジョブ投入により自動復帰可能な最も省電力なスリープ状態に移行してから前記オートシャットダウン延長時間設定手段（３０２）により設定された延長時間が経過後に電源断するオートシャットダウン手段（Ｓ２０７）と、
を備えることを特徴とする画像処理装置（１００）。
【請求項２】
消費電力を抑えたスリープ状態の制御を行うスリープ制御手段と、自動で電源断するオートシャットダウン手段を備えた画像処理装置（１００）において、
オートシャットダウン時刻を設定するオートシャット時刻設定手段（６０１）と、
オートシャットダウンを解除する開始時刻と終了時刻を設定するオートシャットダウン解除時刻設定手段（６０２）と、
前記オートシャット時刻設定手段（６０１）により設定したオートシャットダウン時刻になり、前記オートシャットダウン解除時刻設定手段（６０２）により時刻が設定されていると判断すると、タイマーで自動復帰可能な最も省電力なスリープ状態に移行するタイマー復帰可能スリープ制御手段（Ｓ５０３）と、
前記オートシャットダウン解除時刻設定手段（６０２）により設定された開始時刻になったと判断すると、ジョブ投入により自動復帰可能な最も省電力なスリープ状態に移行するジョブ復帰可能スリープ制御手段（Ｓ５０５）と、
前記オートシャットダウン解除時刻設定手段（６０２）により設定された終了時刻になったと判断すると、電源断するオートシャットダウン手段（Ｓ５０８）と、を備えることを特徴とする画像処理装置（１００）。
【請求項３】
オートシャットダウン解除時に有効にする機能を設定するオートシャットダウン解除時有効機能設定手段（８０１）を備え、
前記ジョブ復帰可能スリープ制御手段（Ｓ５０５）は前記オートシャットダウン解除時有効機能設定手段（８０１）により設定された機能が動作可能な最も省電力なスリープ状態に移行することを特徴とする請求項２記載の画像処理装置（１００）。
【請求項４】
消費電力を抑えたスリープ状態の制御を行うスリープ制御ステップと、自動で電源断するオートシャットダウンステップを備えた画像処理装置（１００）の制御方法において、
オートシャットダウン時刻を設定するオートシャット時刻設定ステップ（３０１）と、
オートシャットダウンの実行を延長する時間を設定するオートシャットダウン延長時間設定ステップ（３０２）と、
前記オートシャット時刻設定ステップ（３０１）により設定したオートシャットダウン時刻になり、前記オートシャットダウン延長時間設定ステップ（３０２）により延長時間が設定されていると判断すると、ジョブ投入により自動復帰可能な最も省電力なスリープ状態に移行するジョブ復帰可能スリープ制御ステップ（Ｓ２０４）と、
前記ジョブ復帰可能スリープ制御ステップ（Ｓ２０４）によりジョブ投入により自動復帰可能な最も省電力なスリープ状態に移行してから前記オートシャットダウン延長時間設定ステップ（３０２）により設定された延長時間が経過後に電源断するオートシャットダウンステップ（Ｓ２０７）と、
を備えることを特徴とする画像処理装置（１００）の制御方法。
【請求項５】
消費電力を抑えたスリープ状態の制御を行うスリープ制御ステップと、自動で電源断するオートシャットダウンステップを備えた画像処理装置（１００）の制御方法において、
オートシャットダウン時刻を設定するオートシャット時刻設定ステップ（６０１）と、
オートシャットダウンを解除する開始時刻と終了時刻を設定するオートシャットダウン解除時刻設定ステップ（６０２）と、
前記オートシャット時刻設定ステップ（６０１）により設定したオートシャットダウン時刻になり、前記オートシャットダウン解除時刻設定ステップ（６０２）により時刻が設定されていると判断すると、タイマーで自動復帰可能な最も省電力なスリープ状態に移行するタイマー復帰可能スリープ制御ステップ（Ｓ５０３）と、
前記オートシャットダウン解除時刻設定ステップ（６０２）により設定された開始時刻になったと判断すると、ジョブ投入により自動復帰可能な最も省電力なスリープ状態に移行するジョブ復帰可能スリープ制御ステップ（Ｓ５０５）と、
前記オートシャットダウン解除時刻設定ステップ（６０２）により設定された終了時刻になったと判断すると電源断するオートシャットダウンステップ（Ｓ５０８）と、
を備えることを特徴とする画像処理装置（１００）の制御方法。
【発明の詳細な説明】
【技術分野】
【０００１】
本発明は、オートシャットダウンする機能を備えた画像処理装置および画像処理装置の制御方法に関する。
【背景技術】
【０００２】
従来より、画像処理装置ではオートシャットダウン機能により指定時刻に自動で電源断することが可能になっている（特許文献１）。
【先行技術文献】
【特許文献】
【０００３】
【特許文献１】特開２００６−２１５０１号公報
【発明の概要】
【発明が解決しようとする課題】
【０００４】
しかしながら、オートシャットダウンにより電源断された状態では、タイマー等により指定時刻に自動で復帰することが不可能となっている。そのため、例外的に、オートシャットダウンにより電源断される時刻に画像処理装置を使用するためには、オートシャットダウン指定時刻の設定を変更する、また、オートシャットダウンの設定を無効にするということをユーザが行う必要がある。
【課題を解決するための手段】
【０００５】
上述した課題を解決するために、本発明における画像処理装置（１００）は、消費電力を抑えたスリープ状態の制御を行うスリープ制御手段と、自動で電源断するオートシャットダウン手段を備えた画像処理装置（１００）において、オートシャットダウン時刻を設定するオートシャット時刻設定手段（３０１）と、オートシャットダウンの実行を延長する時間を設定するオートシャットダウン延長時間設定手段（３０２）と、前記オートシャット時刻設定手段（３０１）により設定したオートシャットダウン時刻になり、前記オートシャットダウン延長時間設定手段（３０２）により延長時間が設定されていると判断すると、ジョブ投入により自動復帰可能な最も省電力なスリープ状態に移行するジョブ復帰可能スリープ制御手段（Ｓ２０４）と、前記ジョブ復帰可能スリープ制御手段（Ｓ２０４）によりジョブ投入により自動復帰可能な最も省電力なスリープ状態に移行してから前記オートシャットダウン延長時間設定手段（３０２）により設定された延長時間が経過後に電源断するオートシャットダウン手段（Ｓ２０７）、とを備えることを特徴とする。
【０００６】
また、本発明における画像処理装置（１００）は、消費電力を抑えたスリープ状態の制御を行うスリープ制御手段と、自動で電源断するオートシャットダウン手段を備えた画像処理装置（１００）において、オートシャットダウン時刻を設定するオートシャット時刻設定手段（６０１）と、オートシャットダウンを解除する開始時刻と終了時刻を設定するオートシャットダウン解除時刻設定手段（６０２）と、前記オートシャット時刻設定手段（６０１）により設定したオートシャットダウン時刻になり、前記オートシャットダウン解除時刻設定手段（６０２）により時刻が設定されていると判断すると、タイマーで自動復帰可能な最も省電力なスリープ状態に移行するタイマー復帰可能スリープ制御手段（Ｓ５０３）と、前記オートシャットダウン解除時刻設定手段（６０２）により設定された開始時刻になったと判断すると、ジョブ投入により自動復帰可能な最も省電力なスリープ状態に移行するジョブ復帰可能スリープ制御手段（Ｓ５０５）と、前記オートシャットダウン解除時刻設定手段（６０２）により設定された終了時刻になったと判断すると、電源断するオートシャットダウン手段（Ｓ５０８）、とを備えることを特徴とする。
【発明の効果】
【０００７】
本発明により、定常的なオートシャットダウンの設定とは別に、例外的なイベントを設定可能になり、この例外イベントを実行するために最も省電力なスリープ状態に移行することが可能となる。
【図面の簡単な説明】
【０００８】
【図１】本発明における画像処理装置の構成を示す図である。
【図２】本発明における第１の実施形態を示すフローチャートである。
【図３】第１の実施形態における設定画面を示す図である。
【図４】第１の実施形態における電力状態の遷移を示す図である。
【図５】本発明における第２の実施形態を示すフローチャートである。
【図６】第２の実施形態における設定画面を示す図である。
【図７】第３の実施形態における電力状態の遷移を示す図である。
【図８】第３の実施形態における設定画面を示す図である。
【発明を実施するための形態】
【０００９】
以下、本発明を実施するための最良の形態について図面を用いて説明する。
【００１０】
図１は本発明のひとつの実施形態である画像装置１００の構成を示す図である。
【００１１】
図１において、画像処理装置１００は、ＣＰＵ１０１、ＲＯＭ１０２、ＲＡＭ１０３、スキャナ１０４、プリンタ１０５、操作表示部１０６、ＣＯＤＥＣ１０７、回線Ｉ／Ｆ１０８、ＵＳＢ  Ｉ／Ｆ１１０、ネットワークＩ／Ｆ１１３、電源制御１１４を有する。
【００１２】
ＣＰＵ１０１は、システム制御部であり、画像処理装置１００の全体を制御する。
【００１３】
ＲＯＭ１０２は、ＣＰＵ１０１の制御プログラムを格納している。なお、上記制御プログラムは、以下に説明する上記実施例を実行する制御プログラムである。
【００１４】
ＲＡＭ１０３は、実行プログラム、プログラム制御変数、各種ワーク用バッファ等や、画像処理装置１００のユーザが登録した設定値、管理データ等を格納するものである。
【００１５】
スキャナ１０４はＣＳイメージセンサ、原稿搬送機構などで構成され、原稿を光学的に読み取って電気的な画像データに変換するものである。
【００１６】
プリンタ１０５は受信画像やファイルデータを記録紙に記録する装置である。
【００１７】
操作表示部１０６はキーボード、タッチパネル、ＬＣＤ、ＬＥＤ等で構成され、ユーザが各種操作や、ユーザに対して表示通知を行うものである。
【００１８】
ＣＯＤＥＣ１０７は、ＪＢＩＧ、ＪＰＥＧ等の符号化、および、復号化を行うモジュールであり、所定の規格に準拠した画像データの圧縮、伸張処理を実行する処理部である。
【００１９】
回線Ｉ／Ｆ１０８は、モデム（変復調装置）、ＮＣＵ（網制御装置）等により構成されるものであり、公衆網を介してファクスの送受信を行うものである。
【００２０】
外部Ｉ／Ｆ１０９はＵＳＢやネットワーク（ＬＡＮ）等を介してＰＣ（ホストコンピュータ）との通信処理を行う。
【００２１】
電源制御１１０は、画像処理装置１００の消費電力を抑えたスリープ状態の制御、また、オートシャットダウンにより自動で電源断するための制御を行うものである。
【００２２】
図２は、本発明における第１の実施形態を示すフローチャートである。また、図３は第１の実施形態における設定画面を、図４は第１の実施形態における装置状態の遷移を示す図である。
【００２３】
図２において、画像処理装置１００のＣＰＵ１０１は、Ｓ２０１においてオートシャットダウン時刻に設定された時刻になったか判断する。オートシャットダウン時刻は３０１に示す設定画面により設定されるものである。
【００２４】
ＣＰＵ１０１はＳ２０１においてオートシャットダウン時刻になったと判断すると、Ｓ２０２においてオートシャットダウン延長時間が設定されているかどうか判断する。オートシャットダウン延長時間は３０２に示す設定画面により設定されるものである。
【００２５】
ＣＰＵ１０１はＳ２０２においてオートシャットダウン延長時間が設定されていると判断すると、Ｓ２０３において３０２で設定したオートシャットダウン延長時間を計測するためのタイマーをスタートさせる。次にＣＰＵ１０１はＳ２０４においてジョブ復帰可能スリープ状態に移行する。ここでジョブ復帰可能スリープ状態とは、画像処理装置１００がネットワークやＵＳＢを介してプリントジョブ等のジョブを受信した時に、スリープ状態から自動で復帰ができる最も省電力なスリープ状態を示している。
【００２６】
次にＣＰＵ１０１はＳ２０５において、Ｓ２０３でスタートしたオートシャットダウン延長時間を計測するタイマーが満了するまで待つ。ＣＰＵ１０１はＳ２０３において、オートシャットダウン延長時間を計測するタイマーが満了したと判断すると、Ｓ２０６において３０２で設定したオートシャットダウン延長時間を解除する。次にＣＰＵ１０１はＳ２０７においてオートシャットダウンを実行し画像処理装置１００を電源断する。
【００２７】
ＣＰＵ１０１はＳ２０２においてオートシャットダウン延長時間が設定されていないと判断すると、Ｓ２０７においてオートシャットダウンを実行し画像処理装置１００を電源断する。
【００２８】
４０１は３０１のオートシャットダウン時刻が２２：００に設定され、３０２のオートシャットダウン延長時間が設定されなかった場合の装置状態の遷移を示している。この設定においては、２２：００にＳ２０７によりオートシャットダウンが実行され、それ以降シャットダウン状態となっている。
【００２９】
４０２は３０１のオートシャットダウン時刻が２２：００に、３０２のオートシャットダウン延長時間が２時間に設定された場合の装置状態の遷移を示している。この設定において、２２：００にＳ２０４によりジョブ復帰可能スリープ状態に移行している。また、２時間が経過した０：００にＳ２０７によりオートシャットダウンが実行され、それ以降シャットダウン状態となっている。
【００３０】
図５は、本発明における第２の実施形態を示すフローチャートである。また、図６は第２の実施形態における設定画面を、図７は第２の実施形態における装置状態の遷移を示す図である。
【００３１】
図５において、画像処理装置１００のＣＰＵ１０１は、Ｓ５０１においてオートシャットダウン時刻に設定された時刻になったか判断する。オートシャットダウン時刻は６０１に示す設定画面により設定されるものである。
【００３２】
ＣＰＵ１０１はＳ５０１においてオートシャットダウン時刻になったと判断すると、Ｓ５０２においてオートシャットダウン解除時刻が設定されているかどうか判断する。オートシャットダウン解除時刻は６０２に示す設定画面により設定されるものである。
【００３３】
ＣＰＵ１０１はＳ５０２においてオートシャットダウン解除時刻が設定されていると判断すると、Ｓ５０３においてタイマー復帰可能スリープ状態に移行する。ここでタイマー復帰可能スリープ状態とは、画像処理装置１００がタイマーにより指定時刻にスリープ状態から自動で復帰ができる最も省電力なスリープ状態を示している。タイマー復帰可能スリープ状態では、ジョブ受信でスリープ状態から復帰することはできないので、ジョブ復帰可能スリープ状態より省電力なスリープ状態となっている。
【００３４】
次にＣＰＵ１０１はＳ５０４において、オートシャットダウン解除設定の開始時刻になるまで待つ。オートシャットダウン解除設定の開始時刻は６０２に示す設定画面により設定されるものである。ＣＰＵ１０１はＳ５０４において、オートシャットダウン解除設定の開始時間になったと判断すると、Ｓ５０５においてジョブ実行可能スリープ状態に移行する。ここでジョブ復帰可能スリープ状態とは、画像処理装置１００がネットワークやＵＳＢを介してプリントジョブ等のジョブを受信した時に、スリープ状態から自動で復帰ができる最も省電力なスリープ状態を示している。
【００３５】
ＣＰＵ１０１はＳ５０６においてオートシャットダウン解除設定の終了時刻になるまで待つ。オートシャットダウン解除設定の終了時刻は６０２に示す設定画面により設定されるものである。ＣＰＵ１０１はＳ５０６においてオートシャットダウン解除設定の終了時刻になったと判断すると、Ｓ５０７においてオートシャットダウン解除時刻の設定を解除する。次にＣＰＵ１０１はＳ５０８においてオートシャットダウンを実行し画像処理装置１００を電源断する。
【００３６】
ＣＰＵ１０１はＳ５０２においてオートシャットダウン解除時刻が設定されていないと判断すると、Ｓ５０８においてオートシャットダウンを実行し画像処理装置１００を電源断する。
【００３７】
７０１は、６０１のオートシャットダウン時刻が２２：００に設定され、６０２のオートシャットダウン解除時刻が設定されなかった場合の装置状態の遷移を示している。この設定においては、２２：００にＳ２０７によりオートシャットダウンが実行され、それ以降シャットダウン状態となっている。
【００３８】
７０２は６０１のオートシャットダウン時刻が２２：００に、６０２のオートシャットダウン解除設定の開始時刻が２３：００に、終了時刻が０：００に設定された場合の装置状態の遷移を示している。この設定において、２２：００にＳ５０３によりタイマー復帰可能スリープ状態に移行している。また、２３：００にＳ５０５によりジョブ復帰可能スリープ状態に、０：００にＳ５０８によりオートシャットダウンが実行され、それ以降シャットダウン状態となっている。
【００３９】
図８は本発明における第３の実施形態における設定画面を示す図である。図８においてオートシャットダウン解除設定の開始時間が２３：００に、終了時刻が０：００に設定されている。また、この期間に使用する機能がネットワーク・プリントと設定されている。この設定において、Ｓ５０５により移行するジョブ復帰可能スリープ状態はネットワーク・プリントでのみスリープ状態から復帰可能となる最も省電力なスリープ状態とする。
【符号の説明】
【００４０】
１００  画像処理装置
１０１  ＣＰＵ
１０２  ＲＯＭ
１０３  ＲＡＭ
１０４  スキャナ
１０５  プリンタ
１０６  操作表示部
１０７  ＣＯＤＥＣ
１０８  回線Ｉ／Ｆ
１０９  外部Ｉ／Ｆ
１１０  電源制御
【図１】
2012187777.tif 000003
【図２】
2012187777.tif 000004
【図３】
2012187777.tif 000005
【図４】
2012187777.tif 000006
【図５】
2012187777.tif 000007
【図６】
2012187777.tif 000008
【図７】
2012187777.tif 000009
【図８】
2012187777.tif 000010